(57)【特許請求の範囲】
【請求項１】
無線通信によりオーディオ信号を送信しオン／オフが切り替え可能である送信部、前記送信部から送信されるオーディオ信号を受信可能な他のオーディオ機器であるシンク機器を検索する検索部、および、前記検索部により取得したシンク機器に関する情報を記憶する記憶部を備えたオーディオ機器と通信し、該オーディオ機器を制御する制御端末であって、
前記送信部のオン／オフ切り替えを受け付ける操作画面、および、前記シンク機器に関する情報のリストを表示する表示部と、
前記送信部のオン／オフ切り替え操作、および、前記シンク機器の選択操作を受け付ける操作部と、
前記表示部および前記操作部を制御する制御部と、
を備え、
前記制御部は、
前記表示部に前記操作画面の表示を開始するとき前記オーディオ機器に前記送信部のオン／オフ状態を問い合わせ、前記送信部がオンであった場合は、前記オーディオ機器に対して前記シンク機器に関する情報を要求し、前記オーディオ機器から受信した前記シンク機器に関する情報をリストとして表示し、
前記操作画面の表示中に、前記送信部をオンさせる操作を受け付けたとき、前記オーディオ機器に前記送信部をオンすべき旨のコマンドメッセージを送信するとともに、前記オーディオ機器に前記シンク機器に関する情報を要求し、前記オーディオ機器から受信した前記シンク機器に関する情報のなかにシンク機器が存在すればそれをリストとして表示し、シンク機器が存在しない場合は前記オーディオ機器に対して前記シンク機器を検索すべき旨のコマンドメッセージを送信して、前記オーディオ機器の前記検索部に前記シンク機器を検索させ、前記オーディオ機器から検索結果である前記シンク機器に関する情報を取得する、
制御端末。
【請求項２】
請求項１に記載の制御端末と、オーディオ機器と、を有するオーディオシステムであって、
前記オーディオ機器は、
該制御端末と通信する第１通信部と、
無線通信によりオーディオ信号を送信し、オン／オフが切り替え可能である送信部と、
前記送信部から送信されるオーディオ信号を受信可能な他のオーディオ機器であるシンク機器を検索する検索部と、
前記検索部により取得したシンク機器に関する情報を記憶する記憶部と、
前記第１通信部、前記送信部、および、前記検索部の動作を制御する制御部と、
を備え、
前記制御部は、
前記送信部がオフのときに、前記制御端末から前記送信部をオンすべき旨のコマンドを受信したとき、前記送信部をオンにして、前記記憶部に記憶されているシンク機器の情報を前記制御端末に送信し、
前記送信部がオンのときに、前記制御端末から前記シンク機器のリストを要求するコマンドを受信したとき、前記記憶部に記憶されているシンク機器の情報を前記制御端末に送信し、
前記制御端末からシンク機器を指定するコマンドを受信したとき、前記送信部に前記指定されたシンク機器に対して前記オーディオ信号を送信させる、
オーディオシステム。
【請求項３】
前記オーディオ機器は、前記シンク機器のリストを表示するディスプレイを備えておらず、
前記制御端末は、前記シンク機器のリストを表示するディスプレイを備えている
請求項２に記載のオーディオシステム。
【請求項４】
送信部のオン／オフ切り替えを受け付ける操作画面、および、オーディオ信号を受信可能な他のオーディオ機器であるシンク機器に関する情報のリストを表示する表示部と、
前記送信部のオン／オフ切り替え操作、および、前記シンク機器の選択操作を受け付ける操作部と、
前記表示部および前記操作部を制御する制御部と、
無線通信によりオーディオ信号を送信しオン／オフが切り替え可能である送信部、前記送信部から送信されるオーディオ信号を受信可能なシンク機器を検索する検索部、および、前記検索部により取得したシンク機器に関する情報を記憶する記憶部を備えたオーディオ機器と通信して該オーディオ機器を制御する制御端末のコンピュータを、
前記表示部に前記送信部のオン／オフ切り替えを受け付ける操作画面の表示を開始するとき前記オーディオ機器に前記送信部のオン／オフ状態を問い合わせ、前記送信部がオンであった場合は、前記オーディオ機器に対して前記シンク機器に関する情報を要求し、前記オーディオ機器から受信した前記シンク機器に関する情報をリストとして表示する第１手段、
前記操作画面の表示中に、前記送信部をオンさせる操作を受け付けたとき、前記オーディオ機器に前記送信部をオンすべき旨のコマンドメッセージを送信するとともに、前記オーディオ機器に前記シンク機器に関する情報を要求し、前記オーディオ機器から受信した前記シンク機器に関する情報のなかにシンク機器が存在すればそれをリストとして表示し、シンク機器が存在しない場合は前記オーディオ機器に対して前記シンク機器を検索すべき旨のコマンドメッセージを送信して、前記オーディオ機器の前記検索部に前記シンク機器を検索させ、前記オーディオ機器から検索結果である前記シンク機器に関する情報を取得する第２手段、
として機能させるオーディオ機器制御プログラム。
【発明の詳細な説明】
【技術分野】
【０００１】
この発明は、無線通信によってオーディオ信号を送信しオン／オフ切り替え可能であるオーディオ機器、オーディオ機器と通信する制御端末、およびオーディオ機器制御プログラムに関する。
【背景技術】
【０００２】
従来、例えばＢｌｕｅｔｏｏｔｈのような無線通信規格が種々策定されている。そして、無線によってオーディオ信号を送信する入力ソース機器を含む、複数の入力ソース機器からオーディオ信号を受け付け可能とするため、オーディオ信号を受け付ける信号入力部を複数備えたオーディオ機器が知られている。例えば、特許文献１は、ＢｌｕｅｔｏｏｔｈおよびＬＩＮＥ入力に対応した信号入力部を備えたスピーカ装置を開示している。
【先行技術文献】
【特許文献】
【０００３】
【特許文献１】特開２０１５‐５３５５０号公報
【発明の開示】
【発明が解決しようとする課題】
【０００４】
ところで、Ｂｌｕｅｔｏｏｔｈによる通信は、信号を受信する機能（Ｂｌｕｅｔｏｏｔｈ  Ｓｉｎｋ）を備えた機器と、信号を送信する機能（Ｂｌｕｅｔｏｏｔｈ  Ｓｏｕｒｃｅ）を備えた機器で成立する。信号を送信する機能を備えた機器が、信号を受信する機能を備えた機器と通信を確立（ペアリング）することで、オーディオ信号の伝送が可能となる。
【０００５】
１台のオーディオ機器にＢｌｕｅｔｏｏｔｈの受信機能と送信機能の両方を備えると、Ｂｌｕｅｔｏｏｔｈを用いてオーディオ信号の送信、受信の両方を行うことができる。しかしながら、Ｂｌｕｅｔｏｏｔｈの受信機能と送信機能は、同時に動作させることはできない。このため、オーディオ機器にオーディオ信号を受信する機能と送信する機能を持たせた場合、受信機能と送信機能を切り替える必要がある。
【０００６】
オーディオ機器の受信機能をオフにし、送信機能をオンに切り替えると、オーディオ機器は、オーディオ信号を受信可能な他のオーディオ機器（以下、シンク機器と呼ぶ）を検索する。検索されたシンク機器のいずれかをユーザが指定すると、オーディオ機器は、指定されたシンク機器との通信を確立する。
【０００７】
オーディオ信号を受信可能なシンク機器が複数存在する場合、検索には、例えば１０秒程度の時間を要する場合がある。現在通信を確立しているシンク機器（第１のシンク機器）から、異なるシンク機器（第２のシンク機器）にユーザが通信先を切り替える場合に、毎回、シンク機器の検索を行うと、シンク機器の切り替えの度に検索時間が発生することとなり、シンク機器の選択を迅速に行えないおそれがある。
【０００８】
この発明は、オーディオ機器との通信を確立させるシンク機器の選択を迅速に行うことができる制御端末、オーディオシステムおよびオーディオ機器制御プログラムを提供することを目的とする。
【課題を解決するための手段】
【０００９】
本発明の第１の側面によって提供される制御端末は、無線通信によりオーディオ信号を送信しオン／オフが切り替え可能である送信部、前記送信部から送信されるオーディオ信号を受信可能な他のオーディオ機器であるシンク機器を検索する検索部、および、前記検索部により取得したシンク機器に関する情報を記憶する記憶部を備えたオーディオ機器と通信し、該オーディオ機器を制御する制御端末であって、前記送信部のオン／オフ切り替えを受け付ける操作画面、および、前記シンク機器に関する情報のリストを表示する表示部と、前記送信部のオン／オフ切り替え操作、および、前記シンク機器の選択操作を受け付ける操作部と、前記表示部および前記操作部を制御する制御部と、を備え、前記制御部は、前記表示部に前記操作画面の表示を開始するとき前記オーディオ機器に前記送信部のオン／オフ状態を問い合わせ、前記送信部がオンであった場合は、前記オーディオ機器に対して前記シンク機器に関する情報を要求し、前記オーディオ機器から受信した前記シンク機器に関する情報をリストとして表示し、前記操作画面の表示中に、前記送信部をオンさせる操作を受け付けたとき、前記オーディオ機器に前記送信部をオンすべき旨のコマンドメッセージを送信するとともに、前記オーディオ機器に前記シンク機器に関する情報を要求し、前記オーディオ機器から受信した前記シンク機器に関する情報のなかにシンク機器が存在すればそれをリストとして表示し、シンク機器が存在しない場合は前記オーディオ機器に対して前記シンク機器を検索すべき旨のコマンドメッセージを送信して、前記オーディオ機器の前記検索部に前記シンク機器を検索させ、前記オーディオ機器から検索結果である前記シンク機器に関する情報を取得する、ことを特徴とする。
【００１０】
本発明の第２の側面によって提供されるオーディオシステムは、本発明の第１の側面によって提供される制御端末と、オーディオ機器と、を有するオーディオシステムであって、前記オーディオ機器は、該制御端末と通信する第１通信部と、無線通信によりオーディオ信号を送信し、オン／オフが切り替え可能である送信部と、前記送信部から送信されるオーディオ信号を受信可能な他のオーディオ機器であるシンク機器を検索する検索部と、前記検索部により取得したシンク機器に関する情報を記憶する記憶部と、前記第１通信部、前記送信部、および、前記検索部の動作を制御する制御部と、を備え、前記制御部は、前記送信部がオフのときに、前記制御端末から前記送信部をオンすべき旨のコマンドを受信したとき、前記送信部をオンにして、前記記憶部に記憶されているシンク機器の情報を前記制御端末に送信し、前記送信部がオンのときに、前記制御端末から前記シンク機器のリストを要求するコマンドを受信したとき、前記記憶部に記憶されているシンク機器の情報を前記制御端末に送信し、前記制御端末からシンク機器を指定するコマンドを受信したとき、前記送信部に前記指定されたシンク機器に対して前記オーディオ信号を送信させる、ことを特徴とする。
【００１１】
上記発明において、前記オーディオ機器は、前記シンク機器のリストを表示するディスプレイを備えておらず、前記制御端末は、前記シンク機器のリストを表示するディスプレイを備えていてもよい。
【００１２】
本発明の第３の側面によって提供されるオーディオ機器制御プログラムは、送信部のオン／オフ切り替えを受け付ける操作画面、および、オーディオ信号を受信可能な他のオーディオ機器であるシンク機器に関する情報のリストを表示する表示部と、前記送信部のオン／オフ切り替え操作、および、前記シンク機器の選択操作を受け付ける操作部と、前記表示部および前記操作部を制御する制御部と、無線通信によりオーディオ信号を送信しオン／オフが切り替え可能である送信部、前記送信部から送信されるオーディオ信号を受信可能なシンク機器を検索する検索部、および、前記検索部により取得したシンク機器に関する情報を記憶する記憶部を備えたオーディオ機器と通信して該オーディオ機器を制御する制御端末のコンピュータを、前記表示部に前記送信部のオン／オフ切り替えを受け付ける操作画面の表示を開始するとき前記オーディオ機器に前記送信部のオン／オフ状態を問い合わせ、前記送信部がオンであった場合は、前記オーディオ機器に対して前記シンク機器に関する情報を要求し、前記オーディオ機器から受信した前記シンク機器に関する情報をリストとして表示する第１手段、前記操作画面の表示中に、前記送信部をオンさせる操作を受け付けたとき、前記オーディオ機器に前記送信部をオンすべき旨のコマンドメッセージを送信するとともに、前記オーディオ機器に前記シンク機器に関する情報を要求し、前記オーディオ機器から受信した前記シンク機器に関する情報のなかにシンク機器が存在すればそれをリストとして表示し、シンク機器が存在しない場合は前記オーディオ機器に対して前記シンク機器を検索すべき旨のコマンドメッセージを送信して、前記オーディオ機器の前記検索部に前記シンク機器を検索させ、前記オーディオ機器から検索結果である前記シンク機器に関する情報を取得する第２手段、として機能させることを特徴とする。
【発明の効果】
【００１３】
この発明によれば、オーディオ機器との通信を確立させるシンク機器の選択を迅速に行うことができる。
【図面の簡単な説明】
【００１４】
【図１】オーディオシステムの各構成機器を示す図である。
【図２】メインスピーカ装置のブロック図である。
【図３】メインスピーカ装置の制御端末として機能する携帯電話機のブロック図である。
【図４】携帯電話機とオーディオ機器アプリケーションプログラムの協働で構成されるオーディオ機器コントローラ、および、メインスピーカ装置の設定部の機能ブロック図である。
【図５】オーディオ機器コントローラとして機能する携帯電話機の表示部に表示される設定画面を示す図である。
【図６】オーディオ機器コントローラとして機能する携帯電話機の表示部に表示される設定画面を示す図である。
【図７】メインスピーカ装置とＢｌｕｅｔｏｏｔｈ通信が可能なシンク機器を携帯電話機のリスト表示部に表示する手順を示す図である。
【発明を実施するための形態】
【００１５】
図面を参照して本発明の実施形態に係るオーディオシステム１００について説明する。図１は、オーディオシステム１００の各構成機器を示す図である。オーディオシステム１００は、メインスピーカ装置２００、および多機能携帯電話機（スマートフォン、以下、単に携帯電話機と呼ぶ）３００を有している。メインスピーカ装置２００が本発明のオーディオ機器に相当し、携帯電話機３００が本発明の制御端末に相当する。スピーカ装置６００、７００、および８００は、メインスピーカ装置２００からＢｌｕｅｔｏｏｔｈにより送信されるオーディオ信号を受信可能である。スピーカ装置６００、７００、および８００は、本発明のシンク機器に相当する。
【００１６】
メインスピーカ装置２００は、電子回路１５、Ｂｌｕｅｔｏｏｔｈ通信回路５５、ＬＩＮＥ入力部５６、Ｗｉ−Ｆｉ通信回路５７、およびスピーカユニット２１０Ｌ，２１０Ｒなどを備えている。メインスピーカ装置２００は、Ｂｌｕｅｔｏｏｔｈ（以下ではＢＴと省略する場合がある）規格の無線通信によりオーディオ信号を送信する機能と受信する機能を有している。メインスピーカ装置２００は、受信機能をオフにし、送信機能をオンにすることにより、シンク機器（例えば、スピーカ装置６００、７００、および８００から選択される１台）に対してオーディオ信号を送信可能である。メインスピーカ装置２００は、Ｗｉ−Ｆｉ通信回路５７により、無線アクセスポイント５を介してネットワーク６に接続されている。
【００１７】
携帯電話機３００は、Ｂｌｕｅｔｏｏｔｈ通信回路３３３、Ｗｉ−Ｆｉ通信回路３３４、および表示部３４１などを備えている。携帯電話機３００は、メインスピーカ装置２００をリモートコントロールする機能（リモコン機能）を有している。ユーザは、携帯電話機３００を用いてメインスピーカ装置２００の送信機能および受信機能のオン／オフ切り替えや、メインスピーカ装置２００からオーディオ信号を送信する送信先の選択を行うことができる。携帯電話機３００は、Ｗｉ−Ｆｉ通信回路３３４により、無線アクセスポイント５を介してネットワーク６に接続されている。
【００１８】
スピーカ装置６００、７００、および８００は、それぞれ、電子回路６１０，７１０，８１０、Ｂｌｕｅｔｏｏｔｈ通信回路６２０，７２０，８２０、およびスピーカ６３０，７３０，８３０などを備えている。スピーカ装置６００、７００、および８００は、それぞれＢｌｕｅｔｏｏｔｈ規格の無線通信によりオーディオ信号を受信する機能を有しているが、オーディオ信号を送信する機能は有していない。スピーカ装置６００、７００、および８００は、メインスピーカ装置２００と１対１の通信接続を確立することにより、メインスピーカ装置２００から送信されるオーディオ信号を受信可能である。ユーザが携帯電話機３００を介してスピーカ装置６００、７００、および８００のいずれかを選択することにより、メインスピーカ装置２００は、選択されたスピーカ装置６００、７００、および８００のいずれかと通信接続を確立する。
【００１９】
図２は、メインスピーカ装置２００のブロック図である。メインスピーカ装置２００は、左右のスピーカユニット２１０Ｌ，２１０Ｒ、および電子回路１５を備えている。電子回路１５は、制御部５０、信号処理部２０１、スピーカ駆動部２０２、入力選択部５３、および複数の信号入力部５４を有している。
【００２０】
信号入力部５４は、外部の入力ソース機器からオーディオ信号を受け付ける。本実施形態では、信号入力部５４として、Ｂｌｕｅｔｏｏｔｈ通信回路５５、ＬＩＮＥ入力部５６、および、Ｗｉ−Ｆｉ通信回路５７を備えている。Ｗｉ−Ｆｉ通信回路５７は、本発明の第１通信部に相当する。
【００２１】
ＬＩＮＥ入力部５６は、たとえばオーディオミニジャックなどのコネクタおよびＡ／Ｄ変換回路を備えている。コネクタには外部の入力ソース機器の出力端子に接続されたオーディオケーブルの端子が差し込まれる。ＬＩＮＥ入力部５６は、オーディオケーブルを介して外部から入力されたオーディオ信号をＡ／Ｄ変換回路を用いてデジタル信号に変換したのち、この信号を入力選択部５３に入力する。なお、コネクタが光ファイバなどのデジタルコネクタの場合、Ａ／Ｄ変換回路は不要である。
【００２２】
Ｂｌｕｅｔｏｏｔｈ通信回路５５は、Ｂｌｕｅｔｏｏｔｈ規格の無線通信によりオーディオ信号を送信する機能および受信する機能を有している。すなわち、Ｂｌｕｅｔｏｏｔｈ通信回路５５は、機能的に送信部５５Ｔおよび受信部５５Ｒを備えている。Ｂｌｕｅｔｏｏｔｈ通信回路５５の送信部５５Ｔおよび受信部５５Ｒは、それぞれオン／オフ切り替え可能であるが、両方を同時にオンすることはできない。Ｂｌｕｅｔｏｏｔｈ通信回路５５の送信部５５Ｔは、本発明の送信部に相当する。
【００２３】
入力選択部５３にはＢｌｕｅｔｏｏｔｈ通信回路５５（の受信部５５Ｒ）およびＬＩＮＥ入力部５６が接続されている。入力選択部５３は、制御部５０から入力される選択信号により、Ｂｌｕｅｔｏｏｔｈ通信回路５５またはＬＩＮＥ入力部５６のうち、いずれかを選択する。入力選択部５３は、選択したＢｌｕｅｔｏｏｔｈ通信回路５５またはＬＩＮＥ入力部５６から入力されたオーディオ信号を信号処理部２０１に出力する。
【００２４】
制御部５０はマイコンで構成される。制御部５０には、Ｗｉ−Ｆｉ通信回路５７が接続されている。Ｗｉ−Ｆｉ通信回路５７は、携帯電話機３００からのコマンドを受信し、制御部５０に入力する。制御部５０は、制御プログラムと協働することによりメインスピーカ装置２００の設定部４５０を構成している（図４参照）。制御部５０は、Ｗｉ−Ｆｉ通信回路５７から入力されたコマンドに基づいて、Ｗｉ−Ｆｉ通信回路５７による通信、Ｂｌｕｅｔｏｏｔｈ通信回路５５の受信部５５Ｒおよび送信部５５Ｔのオン／オフ切り替え、入力選択部５３の切り替え、メインスピーカ装置２００とＢｌｕｅｔｏｏｔｈ通信の接続が可能なシンク機器の検索、メインスピーカ装置２００と選択されたシンク機器とのＢｌｕｅｔｏｏｔｈ通信の接続の確立などを制御する。
【００２５】
信号処理部２０１は、入力選択部５３から入力されたオーディオ信号の音質を調整し、スピーカ駆動部２０２にオーディオ信号として出力する。スピーカ駆動部２０２は、アンプを有しており、信号処理部２０１から入力されたオーディオ信号を増幅し、増幅した信号をそれぞれスピーカユニット２１０Ｌ，２１０Ｒに出力する。
【００２６】
図３は、メインスピーカ装置２００の制御端末として機能する携帯電話機３００のブロック図である。尚、本実施形態では、制御端末として多機能携帯電話機（スマートフォン）を用いたが、リモートコントローラ機能（リモコン機能）を有する携帯端末であれば、タブレットコンピュータなどの機器であってもよい。
【００２７】
携帯電話機３００は、オーディオ機器コントローラアプリケーションプログラム３５０を備えている。オーディオ機器コントローラアプリケーションプログラム３５０が実行されると、携帯電話機３００は、メインスピーカ装置２００とＷｉ−Ｆｉで通信し、メインスピーカ装置２００の設定を行う。オーディオ機器コントローラアプリケーションプログラム３５０が実行されている携帯電話機３００は、機能的にオーディオ機器コントローラを構成する。
【００２８】
図３に示すように、携帯電話機３００は、バス３２６上に、制御部３２０、操作部３３０、メディアインタフェース３３１、３Ｇ／４Ｇ通信回路３３２、Ｂｌｕｅｔｏｏｔｈ通信回路３３３、および、Ｗｉ−Ｆｉ通信回路３３４を有している。制御部３２０は、ＣＰＵ３２１、ＲＯＭ（フラッシュメモリ）３２２、ＲＡＭ３２３、画像プロセッサ３２４および音声プロセッサ３２５を含んでいる。画像プロセッサ３２４には、ビデオＲＡＭ（ＶＲＡＭ）３４０が接続され、ＶＲＡＭ３４０には表示部３４１が接続されている。表示部３４１は、液晶のディスプレイを含み、待ち受け画面や電話番号などを表示する。また、オーディオ機器コントローラの画面（図５及び図６参照）も表示部３４１に表示される。音声プロセッサ３２５には、Ｄ／Ａコンバータを含むアンプ３４２が接続され、アンプ３４２にはスピーカ３１６が接続されている。
【００２９】
画像プロセッサ３２４は、待ち受け画面や電話番号等などの種々の映像を生成するＧＰＵ（ＧｒａｐｈｉｃｓＰｒｏｃｅｓｓｉｎｇＵｎｉｔ，グラフィックス・プロセッシング・ユニット）を備えている。画像プロセッサ３２４は、オーディオ機器コントローラアプリケーションプログラム３５０が起動された場合には、ＣＰＵ３２１の指示に従って図５及び図６に示すようなオーディオ機器コントローラの画像を生成し、これをＶＲＡＭ３４０上に展開する。ＶＲＡＭ３４０上に展開された画像は表示部３４１に表示される。
【００３０】
音声プロセッサ３２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ３２５は、デコード／生成した音声をアンプ３４２に出力する。アンプ３４２は、この音声信号を増幅してスピーカ３１６に出力する。
【００３１】
ＲＯＭ３２２、メモリカード３１５には、楽曲のオーディオファイル（ｍｐ３など）も記憶される。音声プロセッサ３２５は、このファイルを読みだして、デコードし再生する。再生された楽曲（オーディオ信号）は、アンプ３４２で増幅されてスピーカ３１６から放音され、または、Ｂｌｕｅｔｏｏｔｈ通信回路３３３によって通信相手機器（メインスピーカ装置２００など）に送信することも可能である。
【００３２】
３Ｇ／４Ｇ通信回路３３２は、携帯電話通信網を介して、音声通話およびデータ通信を行う。データ通信によってオーディオ機器コントローラなどのアプリケーションプログラムのダウンロードが行われる。なお、アプリケーションプログラムの取得は、３Ｇ／４Ｇ通信でダウンロードするのみならず、Ｗｉ−Ｆｉ通信やＵＳＢなどのインタフェース経由で取得するようにしてもよい。
【００３３】
Ｂｌｕｅｔｏｏｔｈ通信回路３３３は、相手装置として選択設定した（ペアリングした）機器と通信する。たとえば、携帯電話機３００のメモリに記憶している楽曲のオーディオ信号をメインスピーカ装置２００などのオーディオ機器に送信する。
【００３４】
Ｗｉ−Ｆｉ通信回路３３４は、無線アクセスポイント５との間でＩＥＥＥ８０２．１１ｇ規格の無線通信を行う。Ｗｉ−Ｆｉ通信回路３３４は、無線アクセスポイントを経由してメインスピーカ装置２００と通信する。携帯電話機３００は、オーディオ機器コントローラアプリケーションプログラム３５０との協働でオーディオ機器コントローラとして機能し、メインスピーカ装置２００と通信して、メインスピーカ装置２００の設定に関するコマンド信号を送信する。
【００３５】
操作部３３０は、表示部３４１上に形成されたタッチパネルを含み、タッチパネル上のタッチ操作、フリック操作を検出する。メディアインタフェース３３１にはメモリカード３１５が接続される。メモリカード３１５は、たとえばマイクロＳＤカードである。３Ｇ／４Ｇ通信回路３３２によってサーバからダウンロードされたアプリケーションプログラムは、メモリカード３１５またはＲＯＭ３２２に保存される。この携帯電話機３００では、オーディオ機器コントローラアプリケーションプログラム３５０がメモリカード３１５に保存されている。なお、オーディオ機器コントローラアプリケーションプログラム３５０は、プログラム本体に加えてプログラムの実行に必要なデータを含んでいる。
【００３６】
ＲＯＭ３２２には、この携帯電話機３００の通話やアプリケーションプログラムを実行するための基本プログラムが記憶されている。また、ＲＯＭ３２２はフラッシュメモリであり、基本プログラムのほか、ダウンロードされたアプリケーションプログラムなどを記憶することも可能である。ＲＡＭ３２３には、ＣＰＵ３２０がオーディオ機器コントローラアプリケーションプログラム３５０を実行する際に使用されるワークエリアが設定される。
【００３７】
携帯電話機３００は、メモリカード３１５に保存されているオーディオ機器コントローラアプリケーションプログラム３５０との協働によって、図４に示すようなオーディオ機器コントローラ４００を構成し、Ｗｉ−Ｆｉ経由でメインスピーカ装置２００にコマンドメッセージを送信してメインスピーカ装置２００を制御する。
【００３８】
図４は、携帯電話機３００とオーディオ機器コントローラアプリケーションプログラム３５０との協働で構成されるオーディオ機器コントローラ４００、および、メインスピーカ装置２００の設定部４５０の機能ブロック図である。図４を参照して、携帯電話機３００（ハードウェア）にオーディオ機器コントローラアプリケーションプログラム３５０が読み込まれることによって実現されるオーディオ機器コントローラ４００、および、メインスピーカ装置２００の設定部４５０について説明する。
【００３９】
オーディオ機器コントローラ４００は、操作画面表示部４０１、操作検出部４０２、設定情報取得部４０４、および、通信設定部４０５を有している。メインスピーカ装置２００の設定部４５０は、通信設定記憶部４５１、通信設定実行部４５２、検索部４５４、および接続部４５５を有している。
【００４０】
オーディオ機器コントローラ４００において、操作画面表示部４０１は、制御部３２０、ＶＲＡＭ３４０、表示部３４１およびオーディオ機器コントローラアプリケーションプログラム３５０の協働によって実現される。操作画面表示部４０１は、携帯電話機３００の表示部３４１に、各種の操作画面を表示する。
【００４１】
操作検出部４０２は、制御部３２０、操作部３３０およびオーディオ機器コントローラアプリケーションプログラム３５０の協働によって実現される。操作検出部４０２は、表示部３４１に表示された操作画面に対するユーザの操作（たとえばメインスピーカ装置２００との間でＢｌｕｅｔｏｏｔｈ通信させるシンク機器の選択）を検出する。検出されたユーザの操作（操作情報）は、通信設定部４０５に入力される。
【００４２】
通信設定部４０５は、制御部３２０、Ｗｉ−Ｆｉ通信回路３３４、およびオーディオ機器コントローラアプリケーションプログラム３５０の協働によって実現される。通信設定部４０５は、操作検出部４０２から入力された操作情報をメッセージに編集してメインスピーカ装置２００（設定部４５０）に送信する。
【００４３】
設定情報取得部４０４は、制御部３２０、Ｗｉ−Ｆｉ通信回路３３４、およびオーディオ機器コントローラアプリケーションプログラム３５０の協働によって実現される。設定情報取得部４０４は、メインスピーカ装置２００に対して、現在設定されているＢｌｕｅｔｏｏｔｈ通信に関する設定情報を問い合わせ、メインスピーカ装置２００の現在の設定情報を通信設定記憶部４５１から取得する。取得されたＢｌｕｅｔｏｏｔｈ通信に関する設定情報は、図５および図６に示す設定画面５２０において、Ｂｌｕｅｔｏｏｔｈ通信に関する設定情報として反映される。
【００４４】
メインスピーカ装置２００の設定部４５０は、通信設定記憶部４５１、通信設定実行部４５２、検索部４５４、および接続部４５５を有している。これら機能部は、メインスピーカ装置２００の制御部５０、必要な回路およびプログラムで構成される。
【００４５】
通信設定記憶部４５１には、Ｂｌｕｅｔｏｏｔｈ通信に関する設定情報、例えば、Ｂｌｕｅｔｏｏｔｈ通信回路５５の受信機能および送信機能のオン／オフ状態、メインスピーカ装置２００との間でＢｌｕｅｔｏｏｔｈ通信可能な他のオーディオ機器、すなわち、メインスピーカ装置２００とペアリングが完了しているシンク機器に関する情報などが記憶されている。通信設定記憶部４５１は、オーディオ機器コントローラ４００の通信設定部４０５と通信し、通信設定部４０５から受信したＢｌｕｅｔｏｏｔｈ通信に関する設定情報を記憶する。また、通信設定記憶部４５１は、前述のようにオーディオ機器コントローラ４００の要求に対して、記憶しているＢｌｕｅｔｏｏｔｈ通信に関する設定情報を送信する。
【００４６】
通信設定実行部４５２は、通信設定記憶部４５１に記憶されているＢｌｕｅｔｏｏｔｈ通信に関する設定情報の内容を実行する。実行する動作は、入力選択部５３による入力部５４の選択や、Ｂｌｕｅｔｏｏｔｈ通信回路５５の受信機能および送信機能のオン／オフ切り替え、メインスピーカ装置２００との間でＢｌｕｅｔｏｏｔｈ通信させるシンク機器の選択、検索部４５４による検索の指示、および接続部４５５によるＢｌｕｅｔｏｏｔｈ通信接続の確立の指示などを含んでいる。
【００４７】
検索部４５４は、メインスピーカ装置２００からＢｌｕｅｔｏｏｔｈ規格の無線通信により送信されるオーディオ信号を受信可能なシンク機器を検索する。
【００４８】
接続部４５５は、検索部４５４で検索されたＢｌｕｅｔｏｏｔｈ通信可能なシンク機器のうち、ユーザの選択により指定されたシンク機器とメインスピーカ装置２００との間でＢｌｕｅｔｏｏｔｈ通信の接続を確立させる。
【００４９】
図５および図６は、オーディオ機器コントローラ４００として機能する携帯電話機３００の表示部３４１に表示される設定画面５２０を示す図である。設定画面５２０には、オーディオソース選択ボタン５７１、Ｂｌｕｅｔｏｏｔｈ通信回路５５の送信部５５Ｔのオン／オフ切り替えボタン５７２、リスト表示部５７４、戻るボタン５７７、およびスキャンボタン５７８が表示される。
【００５０】
オーディオソース選択ボタン５７１は、入力ソース（メインスピーカ装置２００がオーディオ信号を受け付ける信号入力部）としてＢｌｕｅｔｏｏｔｈ、またはＬＩＮＥ入力を選択するための操作子である。オーディオソース選択ボタン５７１には、選択可能な入力ソースとして、ＢｌｕｅｔｏｏｔｈおよびＬＩＮＥ入力のアイコンが表示されている。ユーザによってＢｌｕｅｔｏｏｔｈまたはＬＩＮＥ入力のアイコンがタップされると、タップされたアイコンに対応する入力ソースを選択する旨のコマンドメッセージがメインスピーカ装置２００に送信されるとともに、タップされたアイコンの表示がアクティブ表示になって選択されている旨が表現される。図５では、入力ソースとしてＬＩＮＥ入力が選択されている。
【００５１】
オン／オフ切り替えボタン５７２は、Ｂｌｕｅｔｏｏｔｈ通信回路５５の送信部５５Ｔのオン／オフを切り替え操作する操作子である。ユーザがスライダを右方に移動させると、Ｂｌｕｅｔｏｏｔｈ通信回路５５の送信部５５Ｔをオンすべき旨のコマンドメッセージがメインスピーカ装置２００に送信される。ユーザがスライダを左方に移動させると、Ｂｌｕｅｔｏｏｔｈ通信回路５５の送信部５５Ｔをオンすべき旨のコマンドメッセージがメインスピーカ装置２００に送信される。
【００５２】
図示の入力ソースとしてＬＩＮＥ入力が選択され、Ｂｌｕｅｔｏｏｔｈ通信回路５５の送信部５５Ｔがオンになっている状態のとき、ＬＩＮＥ入力から入力されたオーディオ信号は、Ｂｌｕｅｔｏｏｔｈによりシンク機器に向けて送信される。
【００５３】
リスト表示部５７４は、オン／オフ切り替えボタン５７２によりＢｌｕｅｔｏｏｔｈ通信回路５５の送信部５５Ｔをオンにした状態において表示される。リスト表示部５７４は、メインスピーカ装置２００との間でペアリングが完了しているシンク機器に関する情報を表示する。
【００５４】
リスト表示部５７４は、オン／オフ切り替えボタン５７２をオンにした状態で設定画面５２０を表示させた時点で、メインスピーカ装置２００に記憶されているシンク機器に関する情報を表示する。つまり、過去に１回でもメインスピーカ装置２００がシンク機器を検索した場合は、メインスピーカ装置２００に検索して得られたシンク機器に関する情報が記憶されているため、携帯電話機３００はその情報を取得してリスト表示部５７４に表示する。メインスピーカ装置２００が過去に１回もシンク機器を検索していない場合は、０台分のシンク機器に関する情報が記憶されているとして、携帯電話機３００はその情報（０台分のシンク機器に関する情報）を取得してリスト表示部５７４に表示する。図５では、メインスピーカ装置２００に記憶されているシンク機器が０台であり、リスト表示部５７４が空欄になっている状態を示している。図６では、メインスピーカ装置２００に記憶されているシンク機器が３台である状態を示している。このように、メインスピーカ装置２００に記憶されている情報をリスト表示部５７４に表示させることで、毎回、シンク機器を検索する必要がなくなり、シンク機器の選択や、切り替えを迅速に行うことができる。
【００５５】
図６に示すように、リスト表示部５７４に表示されるシンク機器に関する情報は、例えばシンク機器の名称である。リスト表示部５７４には、シンク機器の名称が付されたアイコン５７５が表示されている。アイコン５７５の側方には、Ｂｌｕｅｔｏｏｔｈ通信の接続状態しめすチェック欄５７６が表示されている。ユーザによっていずれかのオーディオ機器のアイコン５７５がタップされると、タップされたアイコン５７５に対応するオーディオ機器を選択する旨のコマンドメッセージがメインスピーカ装置２００に送信される。選択したシンク機器との間でＢｌｕｅｔｏｏｔｈ通信の接続が完了し、接続が完了した旨の返信を受信すると、タップされたアイコン５７５に対応するチェック欄５７６にチェックマークが付され、Ｂｌｕｅｔｏｏｔｈ通信の接続が確立されている旨が表現される。
【００５６】
戻るボタン５７７がタップされると、そのとき設定されている内容（信号入力部５４としてＬＩＮＥ入力が選択されている状態、Ｂｌｕｅｔｏｏｔｈ送信機能のオン／オフの状態、選択したシンク機器など）を保存し、表示部３４１上に形成される画面をトップ画面に戻す。
【００５７】
スキャンボタン５７８は、ユーザがこのボタンをタップすると、携帯電話機３００は、メインスピーカ装置２００にシンク機器を検索するコマンドを送信して新しいシンク機器に関する情報を取得する。
【００５８】
図７は、メインスピーカ装置２００とＢｌｕｅｔｏｏｔｈ通信が可能なシンク機器（スピーカ装置６００、７００、又は８００）を携帯電話機３００のリスト表示部５７４に表示する手順を示す図である。
【００５９】
携帯電話機３００が、表示部３４１に設定画面５２０を表示させた場合、すなわち、オーディオ機器コントローラ４００がメインスピーカ２００のＢｌｕｅｔｏｏｔｈ制御モードになると（Ｓ１０１）、携帯電話機３００は、メインスピーカ装置２００に対して、Ｂｌｕｅｔｏｏｔｈ通信回路５５の送信部５５Ｔのオン／オフ状態を確認するコマンドを送信する（Ｓ１０２）。
【００６０】
携帯電話機３００からメインスピーカ装置２００に対してコマンドが送信されると（Ｓ１０２）、メインスピーカ装置２００は、携帯電話機３００に対して、送信部５５Ｔのオン／オフ状態についてのメッセージを返信する（Ｓ１０３）。
【００６１】
携帯電話機３００は、メインスピーカ装置２００から送信部５５Ｔのオン／オフ状態についてのメッセージを受信すると、そのメッセージに基づいて送信部５５Ｔがオン状態であるかオフ状態であるかを判定する（Ｓ１０４）。
【００６２】
上記判定（Ｓ１０４）において、送信部５５Ｔがオフ状態であると判定した場合、携帯電話機３００は、設定画面５２０のオン／オフ切り替えボタン５７２をオフ状態に表示させて（Ｓ１０５）、ユーザによるオン／オフ切り替えボタン５７２のオフからオンへの切り替え操作を受け付ける。携帯電話機３００は、ユーザの操作を受け付けてオン／オフ切り替えボタン５７２の表示をオフからオンに切り替えるとともに（Ｓ１０６）、送信部５５Ｔをオンに切り替える旨のコマンドメッセージをメインスピーカ装置２００に送信する（Ｓ１０７）。
【００６３】
メインスピーカ装置２００が携帯電話機３００からのコマンドを受信すると、メインスピーカ装置２００は、送信部５５Ｔをオンに切り替える（Ｓ１０８）。
【００６４】
続いて、携帯電話機３００は、メインスピーカ装置２００に対して、メインスピーカ装置２００とペアリング済みのシンク機器に関する情報を要求するコマンドを送信する（Ｓ１０９）。
【００６５】
携帯電話機３００からメインスピーカ装置２００に対してコマンドが送信されると（Ｓ１０９）、メインスピーカ装置２００は、通信設定記憶部４５１に記憶されているシンク機器に関する情報を携帯電話機３００に対して返信する（Ｓ１１０）。このとき、通信設定記憶部４５１に記憶されているシンク機器に関する情報の有無に関わらず、言い換えると、シンク機器に関する情報が１台分以上ある場合と、０台分である場合とに関わらず、メインスピーカ装置２００は、通信設定記憶部４５１に記憶されている情報を携帯電話機３００に対して送信する。
【００６６】
携帯電話機３００は、メインスピーカ装置２００からシンク機器に関する情報を受信すると、受信した情報に、１台分以上のシンク機器に関する情報が含まれているか、あるいは、０台分のシンク機器に関する情報が含まれているかを判定する（Ｓ１１１）。
【００６７】
上記判定において、シンク機器に関する情報が０台分であると判定した場合、携帯電話機３００は、メインスピーカ装置２００に対して、メインスピーカ装置２００との間でＢｌｕｅｔｏｏｔｈ通信可能なシンク機器を検索するように要求するコマンドを送信する（Ｓ１１２）。
【００６８】
メインスピーカ装置２００が携帯電話機３００からのコマンドを受信すると、メインスピーカ装置２００は、メインスピーカ装置２００との間でＢｌｕｅｔｏｏｔｈ通信可能なシンク機器の検索を実行する（Ｓ１１３）。メインスピーカ装置２００によるシンク機器の検索の結果、スピーカ装置６００、７００、および８００を捕捉できたとする。捕捉したスピーカ装置６００、７００、および８００に関する情報は、通信設定記憶部４５１で記憶される。
【００６９】
メインスピーカ装置２００による検索が終了すると、携帯電話機３００は、メインスピーカ装置２００に対して、メインスピーカ装置２００とペアリング済みのシンク機器に関する情報を要求するコマンドを送信する（Ｓ１１４）。
【００７０】
携帯電話機３００からメインスピーカ装置２００に対してコマンドが送信されると（Ｓ１１３）、メインスピーカ装置２００は、通信設定記憶部４５１に記憶されているペアリング済みのシンク機器に関する情報を携帯電話機３００に対して返信する（Ｓ１１５）。
【００７１】
携帯電話機３００がメインスピーカ装置２００からシンク機器に関する情報を受信すると、携帯電話機３００は、受信したシンク機器に関する情報に基づいて、表示部３４１の設定画面５２０にリスト表示部５７４を表示する（Ｓ１１６）。
【００７２】
受信したシンク機器に関する情報が１台分以上ある場合、リスト表示部５７４には、オーディオ機器の名称が付されたアイコン５７５を表示する。図６では、スピーカ装置６００、７００、および８００が表示されている。また、受信したシンク機器に関する情報が０台分である場合、リスト表示部５７４には、オーディオ機器の名称が付されたアイコン５７５は表示されず、空欄が表示される（図５参照）。
【００７３】
一方、上記判定（Ｓ１０４）において、送信部５５Ｔがオン状態であると判定した場合、Ｓ１０５からＳ１１３については実行せず、Ｓ１１４以降を実行する。具体的には、上記判定（Ｓ１０４）において、送信部５５Ｔがオン状態であると判定した場合は、携帯電話機３００は、メインスピーカ装置２００に対して、シンク機器を検索するコマンドは送信せず、メインスピーカ装置２００との間でＢｌｕｅｔｏｏｔｈ通信可能なシンク機器に関する情報を要求するコマンドを送信する（Ｓ１１４）。携帯電話機３００からメインスピーカ装置２００に対してコマンドが送信されると（Ｓ１１４）、メインスピーカ装置２００は、現時点で通信設定記憶部４５１に記憶されているシンク機器に関する情報を携帯電話機３００に対して返信する（Ｓ１１５）。携帯電話機３００がメインスピーカ装置２００からシンク機器に関する情報を受信すると、携帯電話機３００は、受信したシンク機器に関する情報に基づいて、表示部３４１の設定画面５２０にリスト表示部５７４を表示する（Ｓ１１６）。
【００７４】
また、上記判定（Ｓ１１１）において、シンク機器に関する情報が１台分以上であると判定した場合、Ｓ１１２からＳ１１５については実行せず、Ｓ１１６を実行する。具体的には、上記判定（Ｓ１１１）において、シンク機器に関する情報が１台分以上であると判定した場合は、携帯電話機３００は、メインスピーカ装置２００に対して、シンク機器を検索するコマンドおよびシンク機器に関する情報を要求するコマンドを送信せず、すでにＳ１１０で受信しているシンク機器に関する情報に基づいて、表示部３４１の設定画面５２０にリスト表示部５７４を表示する（Ｓ１１６）。
【００７５】
本実施形態によれば、携帯電話機３００に設定画面５２０を表示させる度にシンク機器の検索が実行されることがないため、検索時間を待たずにリスト表示部５７４にシンク機器が表示される。このため、シンク機器の選択や切り替えを迅速に行うことができる。
【００７６】
本実施形態によれば、携帯電話機３００の設定画面５２０にシンク機器がリスト表示される。このため、表示部（ディスプレイ）を持たないオーディオ機器のペアリング設定を表示部３４１（ディスプレイ）を備えた携帯電話機３００で行うことができる。
【００７７】
なお、設定画面５２０には、スキャンボタン５７８が設けられており、ユーザがスキャンボタン５７８をタップすると、図７の処理のどのステップであっても、携帯電話機３００は、メインスピーカ装置２００にスキャンコマンドを送信して新しいシンク機器のリストを取得することが可能である。
【００７８】
この実施形態では、オーディオ機器として、スピーカ２１０を備えたメインスピーカ装置２００を示したが、本発明のオーディオ機器はこれに限定されない。Ｂｌｕｅｔｏｏｔｈを含む複数のオーディオソースを選択可能なものであればよい。また、選択可能なオーディオソースは、ＢｌｕｅｔｏｏｔｈおよびＬＩＮＥ入力に限定されない。チューナやメディアプレーヤ機能を備えていてもよい。
【００７９】
本実施形態のリスト表示部５７４では、ペアリング済のものを表示するようにしているが、ペアリングが完了していないオーディオ機器を表示してもよい。
【００８０】
無線通信の手段は、Ｂｌｕｅｔｏｏｔｈ以外の通信手段であってもよく、複数の通信手段が混在していてもよい。
【００８１】
本実施形態では、１対１通信、すなわち、図６で１つのスピーカ装置のみを選択できる構成であるが、１対複数の通信、すなわち、図６で複数のスピーカ装置が選択できる構成であってもよい。
【符号の説明】
【００８２】
１００  オーディオシステム
２００  メインスピーカ装置（オーディオ機器）
３００  携帯電話機（制御端末）
４００  オーディオ機器コントローラ
４５０  設定部
【図１】
0006631087.tif 000002
【図２】
0006631087.tif 000003
【図３】
0006631087.tif 000004
【図４】
0006631087.tif 000005
【図５】
0006631087.tif 000006
【図６】
0006631087.tif 000007
【図７】
0006631087.tif 000008